【事件の表示】
　平成　１年特許願第３３６０５７号「オープンショーケースの上部外装パネル」拒絶査定に対する審判事件［平成　３年　８月２７日出願公開、特開平　３−１９５５１４］について、次のとおり審決する。
【結　論】
　本件審判の請求は、成り立たない。
【理　由】
　１．手続の経緯・本願発明
　本願は、平成１年１２月２５日の出願であって、その請求項１に係る発明（以下、「本願発明」という。）は、平成９年４月２４日付け及び平成１２年３月６日付け手続補正書により補正された明細書及び図面の記載からみて、その特許請求の範囲の請求項１に記載された次のとおりのものである。
　「１）前面に開口部を有する断面コ字形のオープンショケースにおいて、オープンショーケース本体の前面上端部を構成し、下部を開放するとともに庫外上部照明灯を覆う外装パネルを設置し、前記上部外装パネルに販売促進を行う透明または半透明の材料の広告パネルを前面から直接着脱可能なように取り付けるための取付部を設け、該取付部の少なくとも下端に前記広告パネルを支持する凹部を設けたことを特徴とするオープンショケースの上部外装パネル。」
　なお、「オープンショケース」は「オープンショーケース」の誤記であると認める。
　２．引用例の記載事項
　当審で平成１１年１１月２９日付けで通知した拒絶の理由に引用した、実願昭６３−５３３２７号（実開平１−１５８０９２号）のマイクロフィルム（以下、「引用例１」という。）には、前面に商品取出用開口部が、またこの開口部の奥に庫内が形成される断面略コ字形のオープンショーケースにおいて、その上側前端部を構成し前方に張出すキャノピに関して、下記の事項が図面とともに記載されている。
　「この考案はキャノピの前面を利用して行う商品の宣伝広告を、オープンショーケースの美観を高めかつ極めて効果的に行うことのできるオープンショーケースのキャノピを提供することを目的とする。」（第３頁７行乃至１１行）
　「第１図および第２図において、２２は前板２２ａが斜下向きに傾斜する角筒状に構成され、背面上に突設された取付脚２２ｂを介してねじ部財２３により本体ケース１の上側前端面上に固定されるキャノピ本体でその内部には蛍光灯２１等の安定器や配線（図示せず）が収納される。２５はキャノピ本体２２の前方に設けられ上側端縁部２５ａがヒンジ２６によってキャノピ本体２２に連結され、下側端縁部２５ｂがキャノピ本体２２の前板２２ａ下方延長端部２２ｃに係脱可能に係止され、前板２２との間に小室２７を形成する前面板である。この前面板２５はｅ部を境にして上半分が半透明で、下半分が透明なプラスチック板により形成されている。２８は前板２２ａの前面上に上下対向して設けられた一対の支持金具、３０は商品等の広告用絵文字が表示され支持金具２８に着脱可能に支持される電照板、３１は小室２７内に配設され電照板３０を照明する蛍光灯である。」（第４頁１１行乃至第５頁８行）
　「この考案によれば前面板を透明板で形成するとともに回動可能に一方の端縁部をキャノピ本体にヒンジ結合し、かつ前記前面板の後方に小室を形成してこの小室内に、広告用絵文字が表示され取出し可能に装備される電照板、およびこの電照板を照明する蛍光灯を設置し、キャノピを構成したので、キャノピの前面が美麗に形成されてオープンショーケースの美観を高め、かつ商品等の広告内容をオープンショーケースの見栄えを損なうことなく極めて効果的に広告することができて、さらに前記広告内容を表示する電照板の取替が簡単に行なえ、陳列商品や販売季節に適した広告が容易なり、集客および売上増大に大きく寄与できる。」（第６頁６行乃至１８行）
　同じく引用した、実開昭５８−１８４１４１号（実開昭６０−９１０７１号）のマイクロフィルム（以下、「引用例２」という。）には、冷蔵オープンショーケースにおいて、本体ケースの前面壁に形成され、かつ広告内容を蛍光灯により照らし出すようにした広告装置に関して、下記の事項が図面とともに記載されている。
　「この考案は、本体ケースの商品取出用開口下方の前面壁に、広告用窓を形成するとともに蛍光灯を設置し、前記蛍光灯によって商品を照明するとともに前記窓に取付けられた広告板を背後から照明するようにしたものである。」（第３頁１３行乃至１７行）
　「第２図ないし第４図はこの考案の実施例を示すもので、２１はフロントパネル２ｂに、美観を損ねることなく本体ケース１の長手方向に沿って細長く形成された広告用窓である。窓２１の上下には受金２２を備え、透明なプラスチック板に、広告内容を印刷したフィルム２４を貼着するなどしてなる広告板２３が、受金２２に支持されて着脱可能に窓２１に嵌められている。外箱２の前面壁には前記窓２１に対応する部分を切欠いて形成され、窓ガラス２５により閉鎖される窓２６が設けられ、かつ窓２６の長手方向に延びる蛍光灯２７が配設されている。
　前述の構成において、客に知らせたい広告内容は、広告板２３を介して窓２１に表示される。前記広告板２３は蛍光灯２７によって背後から照明され、この蛍光灯２７の光は、商品陳列室６内の最下段の商品１２をも照明する。さらに蛍光灯２７から発生する熱は板ガラス２６や広告板２３の表面に外気中の水分が結露するのを防止する。しかして広告板２３に表示された広告内容は、商品１０を見る客の目前に蛍光灯２７によって鮮明に照らし出され、客の目は前記広告内容におのずとひきつけられる。」（第４頁１行乃至第５頁３行）
　「この考案によれば、本体ケースの商品取出用開口下方の前面壁に広告用窓を形成するとともに蛍光灯を設置し、この蛍光灯によって窓に取付けられた広告板を背後から照明するとともに、商品陳列室内を照明するように広告装置を構成したので、オープンショーケースの美観を損ぜず、かつおのずと客の目をひきつける広告効果の高い広告を行うことができて、さらに商品の陳列効果をも高めることができる。」（第５頁９行乃至１７行）
　３．対比・判断
　引用例１に記載された上記技術事項からみて、引用例１に記載された発明の「前板２２ａ」、「蛍光灯２１」、「支持金具２８」、「電照板３０」及び「キャノピ」は、各々本願発明の「取付部」、「庫外上部照明灯」、「凹部」、「広告パネル」及び「上部外装パネル」に相当するものであるから、本願発明の用語を使用して本願発明と引用例１に記載された発明とを対比すると、両者は、「前面に開口部を有する断面コ字形のオープンショケースにおいて、オープンショーケース本体の前面上端部を構成し、下部を開放するとともに庫外上部照明灯を覆う外装パネルを設置し、前記上部外装パネルに販売促進を行う広告パネルを前面から着脱可能なように取り付けるための取付部を設け、該取付部の少なくとも下端に前記広告パネルを支持する凹部を設けたオープンショケースの上部外装パネル。」で一致しており、下記の点で相違している。
　相違点；本願発明では、広告パネルが透明または半透明の材料であって、庫外上部照明灯により広告パネルを照明し、また、広告パネルを前面から直接着脱可能なように外装パネルに取り付けるものであるのに対して、引用例１に記載された発明では、電照板３０の材料については限定されておらず、電照板３０の照明用の光源としては、庫外上部照明灯としての蛍光灯２１とは別に蛍光灯３１を設けており、また、該蛍光灯３１と電照板３０は前面板２５により形成された小室２７内に配設されており、電照板３０の着脱は前面板２５を回動して行うものである点。
　上記相違点について検討するに、引用例２には、庫内を照明する蛍光灯２７を使用してフロントパネル２ｂ（取付部に相当）に形成された窓２１の上下に備えた受金２２（凹部に相当）に支持された透明なプラスチック板製の広告板２３（広告パネルに相当）を背後から照明することが記載されている。
　そうすると、引用例２に記載された上記技術事項から、引用例１に記載されたキャノピにおいても、前板２２ａに設けた電照板３０を透明または半透明の材料とすれば、電照板３０用の蛍光灯３１を設けることなく、キャノピ本体２２内に設けた庫外上部照明用の蛍光灯２１によって電照板３０を背後から照明できることは、当業者であれば容易に理解することができる程度の事項であるから、電照板３０を本願発明の広告パネルのように透明または半透明の材料として、蛍光灯２１により電照板３０を背後より照明することは、当業者が必要に応じて容易に想到することができる程度の技術事項と認める。
　また、引用例１に記載された発明において、前面板２５は蛍光灯３１を直接見えなくして美観を向上するために設けられるものであって、蛍光灯２１により電照板３０を背後より照明するようにすれば、蛍光灯３１及び前面板２５が不用になることは、当業者であれば自明の技術事項といえるものであるから、本願発明のように電照板３０を直接着脱可能とすることは、当業者であれば適宜採用することができる程度の設計的事項にすぎないものである。
　そして、本願発明の効果も、引用例１及び２に記載された発明から当業者であれば予測することができる程度のものであって、格別のものとはいえない。
　４．むすび
　したがって、本願発明は、引用例１及び２に記載された発明に基づいて当業者が容易に発明をすることができたものであるから、特許法第２９条第２項の規定により特許を受けることができない。
　よって、結論のとおり審決する。